(57)【特許請求の範囲】
【請求項１】
表壁と裏壁とを互いに離隔して中空部を形成するように両壁の周端壁を一体に連設して中空二重壁構造の扉本体としたキャビネットの開閉扉であって、中空二重壁構造の扉本体の一部に、キャビネットの外部から内部に貫通しかつ中空部を周面壁で閉じた開口部を形成し、上記開口部に表壁側から開閉自在の補助扉を設け、扉本体には補助扉の手掛部に対応して手差し凹部を形成したことを特徴とするキャビネットの開閉扉。
【請求項２】
補助扉の裏側にポケット収納部を設けたことを特徴とする請求項１記載のキャビネットの開閉扉。
【発明の詳細な説明】
【０００１】
【産業上の利用分野】
本発明は、厨房機器、事務用機器、電気、電子機器などの外装体を構成するキャビネットの開閉扉に関する。
【０００２】
【従来の技術】
厨房機器などのキャビネットにおいて、その前面に開閉扉を備えたものは、例えば、実公平４−８８１２号公報に記載されているものが知られている。
【０００３】
従来から、厨房機器などのキャビネットにおいては、その開閉扉を開閉して物品を出し入れし、また、電気、電子機器などにあっては、内部の保守点検などが行われている。
【０００４】
【発明が解決しようとする課題】
厨房機器のキャビネットに収納する物品は、大小さまざまであるから、小物類の出し入れの場合には、キャビネットの前面の開閉扉をいちいち開閉することなく、それらの物品を手軽に出し入れできることが使用上便利である。また電気、電子機器などの内部の保守点検の場合にも、所要の箇所だけを開閉できるほうが作業上便利である。
【０００５】
そこで、本発明は、各種キャビネットにおける上述のような要請に応えようとするものであって、キャビネットの開閉扉本体に開口部を形成して補助扉を設けて、使用上や作業上の態様に応じて物品の出し入れや内部の保守点検などを簡便、迅速に行うことができ、しかも、開口部があっても本来の剛性が損なわれることがないキャビネットの開閉扉を提供することを目的とする。
【０００６】
【課題を解決するための手段】
上記目的を達成するため、本発明に係るキャビネットの開閉扉は、表壁と裏壁とを互いに離隔して中空部を形成するように両壁の周端壁を一体に連設して中空二重壁構造の扉本体としたキャビネットの開閉扉であって、中空二重壁構造の扉本体の一部に、キャビネットの外部から内部に貫通しかつ中空部を周面壁で閉じた開口部を形成し、上記開口部に表壁側から開閉自在の補助扉を設け、扉本体には補助扉の手掛部に対応して手差し凹部を形成したものである。
【０００７】
また、本発明に係るキャビネットの開閉扉は、上記構成のものにおいて、さらに補助扉の裏側にポケット収納部を設けたものである。
【０００８】
【作用】
本発明に係るキャビネットの開閉扉によれば、扉本体に開口部が形成され、その開口部に補助扉が設けられているので、扉本体を開閉しなくても補助扉を開閉することにより、小物類などを簡便かつ迅速に出し入れでき、また、キャビネット内部の所要箇所の保守点検などの作業を簡便かつ迅速にできる。
【０００９】
扉本体は、表壁と裏壁とを互いに離隔して中空部を形成するように両壁の周端を一体に結合した中空二重壁構造であり、開口部の周面壁は表壁と裏壁とが互いに連設して中空部を閉じているので、扉本体の一部に開口部があっても開口部の剛性が保たれ、外観が損なわれないうえ、開口部の安全性が保たれる。
【００１０】
また、補助扉の裏側にポケット収納部を設けたものでは、開閉扉自体に小物類を収納できるので、開口部からの物品の出し入れがさらに容易である。
【００１１】
【実施例】
図面は、本発明に係るキャビネットの開閉扉として、厨房機器（調理台）を例示している。図１ないし図３において、１はキャビネットであり、キャビネット１の前面には、その略全面を開閉することができるように左右にそれぞれ開く左右一対の開閉扉２が設けられている。そして、開閉扉２を構成する各扉本体３には、その一部にキャビネット１の外部から内部に貫通する開口部４が形成されていて、開口部４には補助扉５が設けられている。また、補助扉５の裏側にはポケット収納部６が設けられている。７は扉本体３の把手、８は補助扉５の手掛部、９は扉本体３に形成された手差し凹部、１０はマグネット閉止保持材、１１は補強のためのウエルドリブ、１２は一体成形された軸ピン、１３は軸孔である。１４は扉本体３の軸孔、１５はキャビネット１側の軸ピンである。
【００１２】
扉本体３は、熱可塑性プラスチックをブロー成形して構成されたものであり、図３に詳細を示すように、表壁１６と裏壁１７とを互いに離隔して中空部１８を形成するように表壁１６と裏壁１７の周端壁１９を一体に連設して中空二重壁構造に構成したものである。そして、中空二重壁構造の扉本体３の成形時に、開口部４が形成され、この開口部４の周面壁２０は表壁１６と裏壁１７とが互いに連設して中空部１８を閉じるように一体に形成されている。このため、扉本体３の一部に開口部が形成されていても、その剛性が保持されるとともに、開口部４の外観が損なわれず、しかも開口部４の安全性が保たれている。補助扉５は、扉本体３と別にブロー成形によって中空二重壁構造に構成したものであり、成形後にその裏側の上部を切除してポケット収納部６を形成している。前記把手７を形成している表壁１６と裏壁１７の部分は溶着部をなしている。
【００１３】
扉本体３および補助扉４を構成する熱可塑性プラスチックは、ポリエチレン、ポリプロピレンなどである。
【００１４】
図４には、他の実施例が示されている。この実施例においては、左右一対の開閉扉２の一方の扉本体３に、大きさが異なる２つの開口部を設けて、それぞれに補助扉５を設けた構造をなしており、補助扉５は扉本体３のヒンジ部側に開くようになっている。なお、その他の構成は図１ないし図３に示した実施例のものと同構成であり、同構成部分には同符号を付してある。
【００１５】
以上のように構成されたキャビネットの開閉扉によれば、キャビネット１の扉本体３に開口部４が形成され、その開口部４に補助扉５が設けられているので、扉本体３を開閉しなくても補助扉５を開閉することにより、小物類などを簡便かつ迅速に出し入れできる。
【００１６】
また、扉本体３は、表壁１６と裏壁１７とを互いに離隔して中空部１８を形成するように表壁１６と裏壁１７の周端壁１９を一体に連設した中空二重壁構造であり、開口部４は周面壁２０によって中空部１８を閉じているので、扉本体３に開口部４があってもその剛性が保持されるとともに、開口部４の外観が損なわれないうえ、開口部４の安全性が保たれる。
【００１７】
【発明の効果】
本発明に係るキャビネットの開閉扉によれば、キャビネットの開閉扉本体に開口部を形成して開閉自在の補助扉を設け、扉本体には補助扉の手掛部に対応して手差し凹部を形成しているので、使用上や作業上の態様に応じて物品の出し入れや内部の保守点検などを簡便、迅速の行うことができる。そして、開口部の周面壁は表壁と裏壁とが互いに連設して中空部を閉じているので、扉本体の一部に開口部があっても開口部の剛性が保たれ、外観が損なわれないうえ、開口部の安全性が保たれる。
【００１８】
また、補助扉の裏側にポケット収納部を設けたものでは、開閉扉自体に小物類を収納できるので、開口部からの物品の出し入れがいっそう容易にできる。
【図面の簡単な説明】
【図１】本発明に係るキャビネットの開閉扉を厨房機器について例示した全体斜視図である。
【図２】図１の一部を示す分解斜視図である。
【図３】図１の要部を示す拡大断面図である。
【図４】他の実施例を厨房機器について示した全体斜視図である。
【符号の説明】
１  キャビネット
２  開閉扉
３  扉本体
４  開口部
５  補助扉
６  ポケット収納部
７  把手
８  手掛部
９  手差し凹部
１０  マグネット閉止保持材
１１  ウエルドリブ
１２  軸ピン
１３  軸孔
１４  軸孔
１５  軸ピン
１６  表壁
１７  裏壁
１８  中空部
１９  周端壁
２０  周面壁
【図１】
0003592776.tif 000002
【図２】
0003592776.tif 000003
【図３】
0003592776.tif 000004
【図４】
0003592776.tif 000005